【手続補正書】
【提出日】平成25年11月29日(2013.11.29)
【手続補正１】
【補正対象書類名】特許請求の範囲
【補正対象項目名】全文
【補正方法】変更
【補正の内容】
【特許請求の範囲】
【請求項１】
１）ａ）平均で１分子当たり少なくとも２個の脂肪族不飽和有機基を有するポリオルガノシロキサン、
ｂ）平均で、１分子当たり４〜１５個のケイ素原子、及び、成分ａ）中の１つの脂肪族不飽和有機基当たり少なくとも４個のケイ素結合水素原子を有するポリオルガノ水素シロキサン、並びに、
ｃ）１分子当たり、少なくとも１個の脂肪族不飽和有機基及び１個以上の硬化性基を有する反応種、を含む成分を、
ｄ）ヒドロシリル化触媒の存在下で、
同時に反応させるステップを具え、
（成分ｂ）中の、ケイ素結合水素原子）／（成分ａ）中の脂肪族不飽和有機基）の割合（ＳｉＨｂ／Ｖｉａ比）が、４／１〜２０／１の範囲であり、本プロセスにより調製される生成物は、成分ａ）の前記ポリオルガノシロキサンの各末端に２つ以上の硬化性基を有する、プロセス。
【請求項２】
ステップ１）中の前記成分が、ｅ）充填剤、ｆ）非反応性シリコーン樹脂、又は、これらの組み合わせ、をさらに含む、請求項１に記載のプロセス。
【請求項３】
２）触媒阻害剤を添加するステップと、任意で、３）ステップ２）の生成物を精製するステップと、をさらに具える、請求項１に記載のプロセス。
【請求項４】
１）ａ）平均で１分子当たり少なくとも２個の脂肪族不飽和有機基を有するポリオルガノシロキサン、並びに、
ｂ）平均で、１分子当たり４〜１５個のケイ素原子、及び、成分ａ）中の１つの脂肪族不飽和有機基当たりのケイ素結合水素原子（ＳｉＨｂ／Ｖｉａ比）を少なくとも４つ有するポリオルガノ水素シロキサンであって、成分ａ）中の各脂肪族不飽和有機基当たり１分子の成分ｂ）をもたらすのに十分な量で存在するポリオルガノ水素シロキサンｂ）、を含む成分を、
ｄ）ヒドロシリル化触媒の存在下で、同時に反応させるステップと、
その後、
２）ステップ１）の生成物を、
ｃ）１分子当たり、少なくとも１個の脂肪族不飽和有機基及び１個以上の硬化性基を有する反応種、を含む成分と反応させるステップとを具え、
ステップ１）及び／又はステップ２）中の成分は、ｅ）充填剤、ｆ）非反応性シリコーン樹脂、又は、これらの組み合わせをさらに含み；中間体精製ステップはステップ１）とステップ２）との間で行われず；（成分ｂ）中の、ケイ素結合水素原子）／（成分ａ）中の脂肪族不飽和有機基）の割合（ＳｉＨｂ／Ｖｉａ比）が４／１〜２０／１の範囲内であり、本プロセスにより調製される生成物が成分ａ）の該ポリオルガノシロキサンの各末端に２個以上の硬化性基を有する、プロセス。
【請求項５】
３）触媒阻害剤を添加するステップと、任意で、４）ステップ２）の前記生成物を精製するステップと、をさらに含む、請求項４に記載のプロセス。
【請求項６】
成分ａ）及び成分ｂ）は、４／１〜１０／１の範囲内の値を有する前記ＳｉＨｂ／Ｖｉａ比をもたらすのに十分な量で存在する、請求項１〜５のいずれかに記載のプロセス。
【請求項７】
前記充填剤が存在し、該充填剤は、ステップ１）前に、前記充填剤、充填剤処理剤、及び成分ａ）の全て又は一部を混合するステップを含む方法、によって添加される、請求項２〜５のいずれか１項に記載のプロセス。
【請求項８】
成分ａ）が、式（Ｉ）、式（ＩＩ）、及びこれらの組み合わせからなる群から選択される式を有し、
式（Ｉ）は、Ｒ１２Ｒ２ＳｉＯ（Ｒ１２ＳｉＯ）ａ（Ｒ１Ｒ２ＳｉＯ）ｂＳｉＲ１２Ｒ２であり、
式（ＩＩ）は、Ｒ１３ＳｉＯ（Ｒ１２ＳｉＯ）ｃ（Ｒ１Ｒ２ＳｉＯ）ｄＳｉＲ１３であり、
各Ｒ１は、独立して脂肪族不飽和を含まない一価有機基であり、
各Ｒ２は、独立して脂肪族不飽和有機基であり、
下付き文字ａは、２〜１０００の範囲内の平均値を有し、
下付き文字ｂは、０〜１０００の範囲内の平均値を有し、
下付き文字ｃは、０〜１０００の範囲内の平均値を有し、
下付き文字ｄは、４〜１０００の範囲内の平均値を有し、
１０≦（ａ＋ｂ）≦１０００であり、１０≦（ｃ＋ｄ）≦１０００である、
請求項１〜５のいずれかに記載のプロセス。
【請求項９】
成分ｂ）が、環状ポリオルガノ水素シロキサンである、請求項１〜５のいずれかに記載のプロセス。
【請求項１０】
成分ｂ）が、式（ＩＩＩ）を有し、
式（ＩＩＩ）は、（Ｒ３２ＳｉＯ２／２）ｅ（ＨＲ３ＳｉＯ２／２）ｆであり、
各Ｒ３は、独立して脂肪族不飽和を含まない一価有機基であり、
下付き文字ｅは、０〜１０の範囲内の平均値を有し、
下付き文字ｆは、３〜１２の範囲内の平均値を有し、
（ｅ＋ｆ）は、３〜１２の範囲内の値を有する、
請求項１〜５のいずれかに記載のプロセス。
【請求項１１】
成分ｂ）が、分岐ポリオルガノ水素シロキサンである、請求項１〜５のいずれかに記載のプロセス。
【請求項１２】
成分ｂ）が式（ＩＶ）を有し、
式（ＩＶ）は、Ｓｉ−（ＯＳｉＲ４２）ｇ（ＯＳｉＨＲ４）ｇ’（ＯＳｉＲ４３）ｈ（ＯＳｉＲ４２Ｈ）（４−ｈ）であり、
式中、各Ｒ４は、独立して脂肪族不飽和を含まない一価有機基であり、
下付き文字ｇは、０〜１０の範囲内の値を有し、
下付き文字ｇ’は、０〜１０の範囲内の値を有し、
下付き文字ｈは、０〜１の範囲内の値を有し、
下付き文字ｇ’が０である場合、下付き文字ｈも０である、
請求項１〜５のいずれかに記載のプロセス。
【請求項１３】
成分ｂ）が、分子当たり平均少なくとも４個のケイ素結合水素原子を有する線状ポリオルガノ水素シロキサンである、請求項１〜５のいずれかに記載のプロセス。
【請求項１４】
成分ｂ）が（Ｖ）、（ＶＩ）、又はこれらの組み合わせから選択される式を有し、
式（Ｖ）は、Ｒ５２ＨＳｉＯ（Ｒ５２ＳｉＯ）ｉ（Ｒ５ＨＳｉＯ）ｊＳｉＲ５２Ｈであり、
式（ＶＩ）は、Ｒ５３ＳｉＯ（Ｒ５２ＳｉＯ）ｋ（Ｒ５ＨＳｉＯ）ｍＳｉＲ５３であり、
式中、各Ｒ５は、独立して脂肪族不飽和を含まない一価有機基であり、
下付き文字ｉは、１〜１２の範囲内の平均値を有し、
下付き文字ｊは、２〜１２の範囲内の平均値を有し、
下付き文字ｋは、０〜１２の範囲内の平均値を有し、
下付き文字ｍは、４〜１２の範囲内の平均値を有し、
４≦（ｉ＋ｊ）≦１３であり、４≦（ｋ＋ｍ）≦１３である、
請求項１〜５のいずれかに記載のプロセス。
【請求項１５】
成分ｃ）上の前記硬化性基が、アクリレート、アルコール、アルコキシ、エポキシ、イソシアネート、メタクリレート、ウレタン、及び、これらの組み合わせから選択される、請求項１〜５のいずれかに記載のプロセス。
【請求項１６】
成分ｃ）が２個以上の反応種を含み、該２個以上の反応種が２個以上の異なる硬化性基を有する、請求項１〜５のいずれかに記載のプロセス。
【請求項１７】
成分ｃ）が２個以上の（ＶＩＩ）のシランを含み、
式（ＶＩＩ）はＲ６ｎＳｉＲ７（４−ｎ）であり、
式中、各下付き文字ｎは、独立して１〜３の範囲内の値を有し、
各Ｒ６は、独立してアルケニル基又はアルキニル基であり、
各Ｒ７は、独立してアクリレート基、アルコキシ基、エポキシ基、及びメタクリレート基から選択され、
少なくとも１個のシラン上のＲ７基は別のシラン上の少なくとも１個の他のＲ７基とは異なる、請求項１〜５のいずれかに記載のプロセス。
【請求項１８】
成分ｃ）が、式（ＶＩＩＩ）のシランを含み、
式（ＶＩＩＩ）はＲ８ｏＳｉＲ９（４−ｏ）であり、式中、
下付き文字ｏは１〜３の範囲内の値を有し、
各Ｒ８は独立してアルケニル基又はアルキニル基であり、
各Ｒ９は独立してアクリレート基、アルコキシ基、エポキシ基、及びメタクリレート基から選択される、
請求項１〜５のいずれかに記載のプロセス。
【請求項１９】
成分ｃ）が、１分子当たり平均、１〜２個のアルケニル又はアルキニル基と、アクリレート基、アルコキシ基、エポキシ基、及びメタクリレート基から選択される１個以上の反応性基と、を有する有機化合物を含む、請求項１〜５のいずれかに記載のプロセス。
【請求項２０】
成分ｃ）が、アリルアルコール、ビニルアルコール、アリルエーテル、アリルアルコールプロポキシレート、アリルアセテート、アリルアセトアセテート、アルケニルメタクリレート、アルケニルエポキシド、アルケニルトリアルコキシシラン、アリルグリシジルエーテル、又はこれらの組み合わせを含む、請求項１〜５のいずれかに記載のプロセス。
【請求項２１】
ステップ１）中の前記成分が、ｇ）鎖延長剤、ｈ）末端キャップ剤、又は、両方をさらに含む、請求項１〜５のいずれかに記載のプロセス。
【請求項２２】
前請求項のいずれか１項に記載のプロセスにより調製されるクラスタ化官能性生成物。
【請求項２３】
（Ｉ）請求項２２に記載のクラスタ化官能性生成物、及び、
（ＩＩ）硬化剤
を含む、硬化性シリコーン組成物。
【請求項２４】
（ＩＩＩ）架橋剤、（ＩＶ）溶媒、（Ｖ）接着促進剤、（ＶＩ）着色剤、（ＶＩＩ）反応性希釈剤、（ＶＩＩＩ）腐食防止剤、（ＩＸ）重合阻害剤、（ＸＩＩ）酸受容体、及び、これらの組み合わせから選択される１つ以上の成分をさらに含む、請求項２３に記載の組成物。
【請求項２５】
前記組成物が縮合反応硬化性であり、成分（ＩＩ）が縮合反応触媒であり、前記組成物が、任意で、トリアルコキシシラン、アセトキシシラン、ケトキシモシラン、アルキルオルトシリケート、アルキルポリシリケート、メチルビニルビス（ｎ−メチルアセトアミド）シラン、及び、これらの組み合わせから選択される（ＩＩＩ）架橋剤をさらに含む、請求項２３又は請求項２４に記載の組成物。
【請求項２６】
前記組成物が放射線硬化性であり、成分（ＩＩ）がラジカル開始剤を含む、請求項２３又は請求項２４に記載の組成物。
【請求項２７】
前記ラジカルを、放射線、熱、有機ボラン、又はレドックス反応により生成することができる、請求項２６に記載の組成物。
【請求項２８】
成分（Ｉ）が、２つ以上のタイプの硬化性基を有する、請求項２３又は請求項２４に記載の組成物。
【請求項２９】
成分（Ｉ）が、縮合反応硬化性基及びラジカル硬化性基の両方を有する、請求項２８に記載の組成物。
【請求項３０】
成分（ＩＩ）が、放射線硬化性基である、請求項２９に記載の組成物。
【請求項３１】
成分（Ｉ）が、エポキシ及びアルコキシ基を有する、請求項２３又は請求項２４に記載の組成物。
【請求項３２】
成分（Ｉ）がアルコキシ基を有し、成分（Ｉ）がアクリレート基、メタクリレート基、又はこれらの組み合わせを有する、請求項２３又は請求項２４に記載の組成物。
【請求項３３】
（Ｉ）請求項１に記載のプロセスにより調製されるクラスタ化官能性ポリオルガノシロキサン、
（ＩＩ）硬化剤、及び、
（Ｘ）充填剤
を含む、硬化性シリコーン組成物。
【請求項３４】
前記充填剤が熱伝導性充填剤を含む、請求項３３に記載の組成物。
【請求項３５】
前記組成物が、（ＩＩＩ）架橋剤、（ＩＶ）溶媒、（Ｖ）接着促進剤、（ＶＩ）着色剤、（ＶＩＩ）反応性希釈剤、（ＶＩＩＩ）腐食防止剤、（ＩＸ）重合阻害剤、（ＸＩ）充填剤処理剤、（ＸＩＩ）酸受容体、及びこれらの組み合わせから選択される１つ以上の成分をさらに含む、請求項３３又は請求項３４に記載の組成物。
【請求項３６】
請求項２３〜３５のいずれか１項に記載の組成物のエレクトロニクス用途における使用。
【請求項３７】
ステップ１）前の前記充填剤、充填剤処理剤、及び成分ａ）の全て又は一部の混合により、成分ａ）のポリオルガノシロキサン中の処理充填剤の組み合わせであるマスターバッチを形成する、請求項７に記載のプロセス。
【請求項３８】
成分（Ｘ）の充填剤が、前記充填剤、充填剤処理剤、及び成分ａ）の全て又は一部を混合して、成分ａ）のポリオルガノシロキサン中の処理充填剤の組み合わせであるマスターバッチを形成することにより形成された処理充填剤である、請求項３３に記載の組成物。